(57)【要約】【課題】  健康増進効果が高く汚れにくい履物を提供できるようにすることを目的とするものである。        【解決手段】  底部と底部の上方を覆う被覆部分とを備えてなる履物において、当該被覆部分に血流促進部材又は／及び指圧部材を設けることにより、足の甲やその他被覆部分に対面する足の裏のように厚くなく硬さも軟らかい足の表面部分から血流促進部材や指圧部材からの作用や刺激を受けようにして、健康増進効果を高めるようにした。    【選択図】図２
2005224423.tif 000002
【特許請求の範囲】
【請求項１】
底部と底部の上方を覆う被覆部分とを備えてなる履物において、当該被覆部分に血流促進部材又は／及び指圧部材を設けたことを特徴とする履物。
【請求項２】
血流促進部材又は／及び指圧部材が磁力線を発生する磁石である請求項１に記載の履物。
【請求項３】
血流促進部材又は／及び指圧部材が足のつぼに対面する被覆部分に設けてなる請求項１又は請求項２に記載の履物。
【請求項４】
被覆部分に設けた磁石を、底部に設けられた磁石と協働して磁界を形成する取り付け位置に設けてなる請求項１乃至請求項３の何れか１項に記載の履物。
【発明の詳細な説明】
【技術分野】
【０００１】
本発明は、サンダルを始めとし、靴やブーツ、スリッパや草履等の履物に関するものである。
【背景技術】
【０００２】
近年、環境の悪化により、各人の健康志向が高まっており、こうした健康志向にこたえる食品や器具等の商品が市場に出回っている。
この健康の増進としては、人間の足裏には多くのつぼがあり、これらのつぼに刺激を与えると、血行が良くなり、体全体を快調に保持することができると共に、各種神経のバランスが自然に調整され、健康をより促進できることが知られている。
そこで、人間の足裏を刺激するものとして、例えば青竹踏み、足裏への指圧等が従来より行われている。
【０００３】
こうした傾向は履物業界においても同様で、例えばサンダルや靴の底部分に磁気を発生する磁石を取り付け、この磁石の磁気の作用により血流を促すようにしたものや、足の裏に対面する底部分に突起設け、この突起で足の裏のつぼを刺激して血流を促進することにより健康を増進させるようにしたものがある。
【０００４】
ところが、上記のようにサンダルや靴の底部分に磁気を発生する磁石を取り付け、この磁石の磁気の作用により血流を促すようにしたものでは厚みが厚く、固い足の裏から磁石に磁気を作用させたり、突起で押圧したりするために、血流の促進やつぼの指圧効果が充分に得にくいという問題があった。
また、底部に磁石を設けたり、刺激用の突起を設けたりしたものではこの突起や磁石部分にゴミがたまりやすく、汚れやすいという問題もある。
【特許文献１】特開平０９−０３７８０３号公報
【特許文献１】特開２００３−２３０４０４号公報
【発明の開示】
【発明が解決しようとする課題】
【０００５】
本発明は上記問題点に鑑み提案されたもので、健康増進効果が高く汚れにくい履物を提供できるようにすることを目的とするものである。
【課題を解決するための手段】
【０００６】
上記目的を達成する為に本発明にかかる履物は、底部と底部の上方を覆う被覆部分とを備えてなる履物において、当該被覆部分に血流促進部材又は／及び指圧部材を設けたことを主要な特徴とするものである。
【０００７】
また、本発明にかかる履物では、血流促進部材又は／及び指圧部材が磁力線を発生する磁石にしたり、血流促進部材又は／及び指圧部材が足のつぼに対面する被覆部分に設けるようにしたり、更には被覆部分に設けた磁石を、底部に設けられた磁石と協働して磁界を形成する取り付け位置に設けるようにすることも特徴とするものである。
【発明の効果】
【０００８】
本発明の履物によれば、底部と底部の上方を覆う被覆部分とを備えてなる履物において、被覆部分に磁石等の血流促進部材又は／及び突起等の指圧部材を設けることにより、足の甲やその他被覆部分に対面する足の表面部分から血流促進部材や指圧部材からの磁気作用や指圧等の刺激を受ける。
そして、こうした部分は足の裏のように厚くなく、硬さも軟らかいことから、その磁気作用や指圧等の刺激は余すことなく有効に働くので、健康増進効果が高いものとなる。
【０００９】
また、血流促進部材や指圧部材を被覆部分に設けるようにしてあるので、当該部分にはゴミや埃がつきにくく、汚れにくいという利点がある。
このことは底部にこれらの血流促進部材や指圧部材を設けることを否定するものではなく、底部に血流促進部材や指圧部材を設けたものに本発明を実施することもでき、こうした場合には底部に設けた血流促進部材や指圧部材と協働させて尚一層、健康増進効果の高いものにすることができる利点がある。
【発明を実施するための最良の形態】
【００１０】
以下本発明にかかる履物に使用されるバンド及びこれを備えた履物の最良の形態を図面に基づいて説明する。
図１は本発明にかかる履物の１種であるサンダルの斜視図、図２はサンダルの分解図であって、図中符号１はサンダルを全体的に示す。
このサンダル１は、底部材２と、両端部分３ａ・３ｂが底部材２に固定され足の甲部分にアーチ状に掛け渡されたシート状のバンド３とからなる。
【００１１】
底部材２は、弾性力のあるウレタン樹脂で形成された本体部分４と、この本体部分４の上面に貼着された上面シート５とからなり、アーチ状に掛け渡されたシート状のバンド３の両端部分３ａ・３ｂが本体部分４と上面シート５との間に挿入され、本体部分４に固定されている。
そして、バンド３には、複数箇所に血流促進部材６が設けてある。
血流促進部材６は、半球状に形成され周囲に板状のフランジ７を形成した磁石８で形成されており、この磁石８は、シート状のバンド３に穿設した透孔９の外方から上記半球状部分が内方（底方向）に露出する状態にし、当該磁石８のフランジ７部分をその外方から例えば葉の形にデザインされたシート片１０をバンド３の表面に貼着して固定してある。  
【００１２】
上記の血流促進部材６の磁石８の取り付け位置は、図３に示すように足１１の甲１２に点在する多くのつぼの内、行間と呼ばれる気管支に効くつぼ１３の部分、楽枕と呼ばれる胸部のつぼ１４及び平衡器官（内耳）のつぼ１５の位置にそれぞれ設けてある。
また、シート状のバンド３に貼着されたシート片１０はシート状のバンド３との間に磁石８のフランジ７部分を挟んだ状態で膨らんでおり、ボリューム感があり、意匠性が高められる。
因みに、シート片１０はこうした葉の形に限られず、シャボン玉のような円形、あるいは動物やその他、アニメーションのキャラクタの形状にすることもできるのは勿論である。
【００１３】
上記のように形成されたサンダル１を履くと、シート状のバンド３に設けられた血流促進部材６の磁石８から放射される磁力線（磁気）がそれぞれのつぼ１３・１４・１５に作用する。
こうした磁石８から放射される磁力線は、従来のように厚く硬い足の裏と異なり、薄く軟らかい足１１の甲１２側の部分から作用するので深く強力に作用してつぼ１３・１４・１５を刺激して血流を促進する。
尚、底部２に磁石１６を設けたものにシート状のバンド３に磁石８を設けた本発明を実施すると、底部２の磁石１６とも相俟って、大きな磁界を形成することもでき、いっそうの効果を期待できる。
また、血流促進部材６の磁石８に取り付けについて、上記の例では、シート状のバンド３に透孔９を穿設し、ここに設けるようにしてあるが、血流促進部材６の磁石８はシート状のバンド３の裏面に直接取り付けるようにしてもよいことは言うまでもないことである。
こうした場合、既存のスリッパにも簡単に実施することができる。
【００１４】
上記の実施の形態ではスリッパ１のシート状のバンド３に血流促進部材６の磁石８を設け、その磁力線で血流を促進するようにしてあるが、例えば図４に示すような靴１８等の場合にはアキレス腱を保護するクッション部分１９に太谿といわれる腎臓に効くつぼ２０や、図５に示すブーツ２１に実施する場合などでは、上巨虚と呼ばれる胃に効くつぼの位置２３（図６参照）に設けるようにすることもできる
更に、図７に示すように磁石８に代えて指圧用の突起２４にして足１１の甲１２に点在する複数のつぼを同時に指圧できるようにしてもよいことは勿論である。
【図面の簡単な説明】
【００１５】
【図１】履物（サンダル）の斜視図である。
【図２】履物の分解斜視図である。
【図３】磁石を設けた位置の足の甲に存在するつぼの説明図である。
【図４】本発明を靴のアキレス腱部分のクッションに実施した例の斜視図である。
【図５】本発明をブーツに実施した例の斜視図である。
【図６】図５における磁石を設けた位置の足の甲に存在するつぼの説明図である。
【図７】磁石に代えて指圧よう突起を設けた例を示す斜視図である。
【符号の説明】
【００１６】
１・・・履物（サンダル）
２・・・底部材
３・・・バンド
３ａ・３ｂ・・・３の両端部分
６・・・血流促進部材
８・・・磁石
２４・・・指圧用の突起
【図１】
2005224423.tif 000003
【図２】
2005224423.tif 000004
【図３】
2005224423.tif 000005
【図４】
2005224423.tif 000006
【図５】
2005224423.tif 000007
【図６】
2005224423.tif 000008
【図７】
2005224423.tif 000009